(57)【特許請求の範囲】
【請求項１】
光加入者系システムに接続して光バースト伝送を行う光加入者線終端装置において、
装置の状態情報を記憶する不揮発性の状態情報記憶手段と、
立ち上げ時に、立ち上げ準備状態に遷移させる立ち上げ準備状態遷移手段と、
立ち上げ前の状態が緊急停止状態であると前記状態情報により認識した場合には、前記立ち上げ準備状態の期間中に、緊急停止状態フラグを設定するフラグ設定手段と、
前記緊急停止状態フラグが設定された場合には、前記立ち上げ準備状態から前記緊急停止状態へ遷移させ、前記緊急停止状態フラグが設定されない場合には、前記立ち上げ準備状態から初期状態へ遷移させる状態遷移制御手段と、
を有することを特徴とする光加入者線終端装置。
【請求項２】
前記状態遷移制御手段は、前記立ち上げ準備状態の期間外で設定された前記緊急停止状態フラグについては、状態遷移制御として受け付けないことを特徴とする請求項1記載の光加入者線終端装置。
【請求項３】
立ち上げ時の状態遷移の動作を制御する状態遷移制御方法において、
装置の状態情報を不揮発性メモリに記憶し、
立ち上げ時に、立ち上げ準備状態に遷移させ、
立ち上げ前の状態が緊急停止状態であると前記状態情報により認識した場合には、前記立ち上げ準備状態の期間中に、緊急停止状態フラグを設定し、
前記緊急停止状態フラグが設定された場合には、前記立ち上げ準備状態から前記緊急停止状態へ遷移させ、
前記緊急停止状態フラグが設定されない場合には、前記立ち上げ準備状態から初期状態へ遷移させることを特徴とする状態遷移制御方法。
【請求項４】
前記立ち上げ準備状態の期間外で設定された前記緊急停止状態フラグについては、状態遷移制御として受け付けないことを特徴とする請求項３記載の状態遷移制御方法。
【発明の詳細な説明】
【０００１】
【発明の属する技術分野】
本発明は光加入者線終端装置及び状態遷移制御方法に関し、特に光加入者系システムに接続して光バースト伝送を行う光加入者線終端装置及び立ち上げ時の状態遷移の動作を制御する状態遷移制御方法に関する。
【０００２】
【従来の技術】
近年、通信サービスの多様化は加速し、ビデオ・オン・デマンド、ＣＡＴＶ、高速コンンピュータ通信等の需要が拡大しつつある。このような大容量の通信サービスを低料金で提供するためには、加入者通信網を光化した光通信システムが不可欠である。
【０００３】
光通信システムとしては、１本の光ファイバを複数の加入者で共有するＰＤＳ（Passive Double Star)が提案されている。また、特に欧州を中心にしてＰＤＳ方式を採用したＰＯＮ（Passive Optical Network)システムが注目されており、光ファイバを各家庭まで敷設するＦＴＴＨ（Fiber To The Home)システムの実現へ向けて開発が進んでいる。
【０００４】
また、このようなＦＴＴＨシステムの実現のためには、音声や動画などのリアルタイムの通信要求に対して、通信帯域や品質を保証するために、ＡＴＭ（Asynchronous Transfer Mode) を利用したＡＴＭ−ＰＯＮの構築が、ＦＳＡＮ（Full Service Access Networks：光通信事業を推進するために設立された国際的な通信業界団体）を中心に進められている。
【０００５】
図８はＡＴＭ−ＰＯＮシステムの構成を示す図である。加入者宅１００ａ〜１００ｎ内には、光バースト伝送を行うＯＮＵ（Optical Network Unit：光加入者線終端装置）１０１ａ〜１０１ｎが配置され、局２００内にはＯＬＴ（Optical Line Terminal ：光加入者線端局装置）２０１が配置される。
【０００６】
ＯＮＵ１０１ａ〜１０１ｎには電話機やＣＡＴＶ等が接続され、ＯＬＴ２０１には交換機（ＡＴＭ交換機、ＩＳＤＮ交換機等）２０２が接続する。また、ＯＮＵ１０１ａ〜１０１ｎとＯＬＴ２０１は、スターカプラ３００と接続する。
【０００７】
局２００から加入者宅１００ａ〜１００ｎへの下りデータ（下りセル）は、１本の光ファイバから、スターカプラ３００を介して、樹枝状に分岐された光ファイバを通じて送信される。また、加入者宅１００ａ〜１００ｎから局２００への上りデータ（上りセル）は、樹枝状に分岐された光ファイバから、スターカプラ３００を介して、１本に集約された光ファイバを通じて送信される。
【０００８】
このように、ＡＴＭ−ＰＯＮシステムは、スターカプラ３００で局と複数の加入者とを１：ｎで接続して構成する、ＡＴＭを使った光分岐型のアクセスネットワークである。
【０００９】
一方、ＩＴＵ−Ｔ勧告Ｇ．９８３では、ＯＮＵの動作状態としてｏ１状態〜ｏ１０状態を定めており、特にＯＮＵの電源ＯＮ後の状態は、ｏ１状態またはｏ９状態であることが規定されている。
【００１０】
ｏ１状態とは、ＯＮＵの電源ＯＮ後の初期状態のことである。ｏ９状態とは、緊急停止状態であり、この状態になると、ＯＮＵはネットワークから切り離されて、通信ができなくなる。
【００１１】
例えば、登録されていないＯＮＵを用いて、ネットワークに侵入するといった悪意のあるユーザに対して、ＯＬＴはそのシリアル番号（ＯＮＵには個別にシリアル番号とパスワードが付加されている）のＯＮＵに対してパスワードの送信要求をし、シリアル番号に対するパスワードの不一致（ＯＬＴはあらかじめＯＮＵのシリアル番号とパスワードを認識している）により、そのようなＯＮＵを見つけると、ＯＬＴはｏ９状態へ遷移させるためのメッセージを送出する。そして、メッセージを受信したＯＮＵは、ｏ９状態へ遷移し、緊急停止させられる。
【００１２】
また、一旦、ｏ９状態になったＯＮＵは、ＯＬＴからｏ９状態の解除メッセージを受信する以外は、電源ＯＦＦ後に再び電源ＯＮしてもｏ９状態から抜けられず（ＯＮＵ内部のファームウェアでｏ９状態フラグがセットされる）、悪意のあるユーザがＯＮＵを再使用しようとしてもできないように規定されている。
【００１３】
その後、もしそのユーザが正常なユーザであるとシステム管理者から認識され、そのＯＮＵが登録されると、ＯＬＴはｏ９状態の解除メッセージを送出し、そのメッセージを受信したＯＮＵはｏ９状態からｏ１状態へ遷移し、通常の立ち上げ動作を行っていく。
【００１４】
【発明が解決しようとする課題】
しかし、上記のようなＯＮＵの電源ＯＮ後の動作状態として、ｏ１状態へ遷移すべきか、ｏ９状態へ遷移すべきかを判断するためのシーケンス処理が、ＩＴＵ−Ｔ勧告Ｇ．９８３では規定されていない。
【００１５】
このため、例えば、ｏ９状態になったＯＮＵに対して、電源ＯＦＦ後に再び電源ＯＮを行った場合に、電源ＯＮ時のクリアな状態から、一度、ｏ１状態になった後でｏ９状態に遷移するといった不自然な動作を行ってしまう可能性があり、立ち上げ動作が不安定であるといった問題があった。
【００１６】
また、通常のＯＮＵの運用中に、ファームウェアの何らかの原因により、誤ってｏ９状態フラグがセットされてしまうと、ＯＮＵは正常な状態遷移動作を行えず、誤動作してしまうといった問題があった。
【００１７】
本発明はこのような点に鑑みてなされたものであり、動作の安定化を図った光加入者線終端装置を提供することを目的とする。
また、本発明の他の目的は、動作の安定化を図った状態遷移制御方法を提供することである。
【００１８】
【課題を解決するための手段】
本発明では上記課題を解決するために、図１に示すような、光加入者系システムに接続して光バースト伝送を行う光加入者線終端装置において、装置の状態情報を記憶する不揮発性の状態情報記憶手段１１と、立ち上げ時に、立ち上げ準備状態に遷移させる立ち上げ準備状態遷移手段１２と、立ち上げ前の状態が緊急停止状態であると状態情報により認識した場合には、立ち上げ準備状態の期間中に、緊急停止状態フラグを設定するフラグ設定手段１３と、緊急停止状態フラグが設定された場合には、立ち上げ準備状態から緊急停止状態へ遷移させ、緊急停止状態フラグが設定されない場合には、立ち上げ準備状態から初期状態へ遷移させる状態遷移制御手段１４と、を有することを特徴とする光加入者線終端装置１０が提供される。
【００１９】
ここで、状態情報記憶手段１１は、不揮発性のメモリであり、装置の状態情報を記憶する。立ち上げ準備状態遷移手段１２は、立ち上げ時に、立ち上げ準備状態に遷移させる。フラグ設定手段１３は、立ち上げ前の状態が緊急停止状態であると状態情報により認識した場合には、立ち上げ準備状態の期間中に、緊急停止状態フラグを設定する。状態遷移制御手段１４は、緊急停止状態フラグが設定された場合には、立ち上げ準備状態から緊急停止状態へ遷移させ、緊急停止状態フラグが設定されない場合には、立ち上げ準備状態から初期状態へ遷移させる。
【００２０】
また、図７に示すような、立ち上げ時の状態遷移の動作を制御する状態遷移制御方法において、装置の状態情報を不揮発性メモリに記憶し、立ち上げ時に、立ち上げ準備状態に遷移させ、立ち上げ前の状態が緊急停止状態であると状態情報により認識した場合には、立ち上げ準備状態の期間中に、緊急停止状態フラグを設定し、緊急停止状態フラグが設定された場合には、立ち上げ準備状態から緊急停止状態へ遷移させ、緊急停止状態フラグが設定されない場合には、立ち上げ準備状態から初期状態へ遷移させることを特徴とする状態遷移制御方法が提供される。
【００２１】
ここで、立ち上げ時に立ち上げ準備状態に遷移して、立ち上げ準備状態の期間中に、緊急停止状態フラグが設定された場合には、緊急停止状態へ遷移し、緊急停止状態フラグが設定されない場合には、初期状態へ遷移する。
【００２２】
【発明の実施の形態】
以下、本発明の実施の形態を図面を参照して説明する。図１は本発明の光加入者線終端装置の原理図である。光加入者線終端装置１０は、図８で説明したようなＯＮＵに該当し、ＡＴＭ−ＰＯＮ等の光加入者系システムに接続して光バースト伝送を行う。以降では、光加入者線終端装置１０をＯＮＵ１０と呼ぶ。
【００２３】
また、図中、電源ＯＦＦ前の動作状態が緊急停止状態（以下、ｏ９状態と呼ぶ）からの遷移を実線矢印で、電源ＯＦＦ前の動作状態がｏ９状態以外の状態からの遷移を点線矢印で示している。
【００２４】
状態情報記憶手段１１は、フラッシュメモリ等の不揮発性メモリに該当し、自己の装置（ＯＮＵ１０）の状態情報を記憶する。状態情報（以下、バックアップ情報と呼ぶ）の内容としては、例えば、シリアル番号、パスワード及び現時点での動作状態等がある。
【００２５】
立ち上げ準備状態遷移手段１２は、電源ＯＮの立ち上げ時に、ＯＮＵ１０の動作状態を立ち上げ準備状態（以下、ｏ０状態と呼ぶ）に遷移させる。
このｏ０状態は、ＯＮＵ１０の電源ＯＮ後の動作状態として、ｏ１状態へ遷移させるべきか、またはｏ９状態へ遷移させるべきかを判断するための状態であり、ＩＴＵ−Ｔ勧告Ｇ．９８３で規定されていない、本発明であらたに設けた状態である。
【００２６】
フラグ設定手段１３は、立ち上げ前の状態（電源ＯＦＦ前の動作状態）がｏ９状態であったことをバックアップ情報により認識した場合には、ｏ０状態の期間中に、緊急停止状態フラグ（以下、ｏ９状態フラグと呼ぶ）を設定する（ＯＮ）。立ち上げ前の状態がｏ９状態でなかったならば、ｏ９状態フラグを設定しない（ＯＦＦ）。
【００２７】
状態遷移制御手段１４は、ｏ９状態フラグが設定された場合には、ＯＮＵ１０をｏ０状態からｏ９状態へ遷移させ、ｏ９状態フラグが設定されない（ＯＦＦ）場合には、ｏ０状態から初期状態（以下、ｏ１状態と呼ぶ）へ遷移させる。
【００２８】
また、状態遷移制御手段１４は、ｏ０状態の期間外で設定されたｏ９状態フラグについては、状態遷移制御として受け付けない。すなわち、ＯＮＵ１０の通常の運用中にＯＮしたｏ９状態フラグに対しては、これを認識せず、ｏ９状態への遷移を行わない。
【００２９】
次に動作について説明する。図２は状態遷移の動作手順を示す動作フローである。
〔Ｓ１〕状態情報記憶手段１１は、現在の動作状態等の内容をバックアップ情報として記憶する。
〔Ｓ２〕ＯＮＵ１０は、電源ＯＦＦ後に、再度電源ＯＮとなる。
〔Ｓ３〕立ち上げ準備状態遷移手段１２は、電源ＯＮ後、ＯＮＵ１０をｏ０状態へ遷移させる。
〔Ｓ４〕記憶されたバックアップ情報はすべてレジスタに設定される。ＸＳＥＴＵＰ＝０ならばレジスタへのバックアップ情報が設定完了したことを意味し、その場合はステップＳ５へ行く。
【００３０】
また、ＸＳＥＴＵＰ≠０ならば、必要なバックアップ情報がレジスタに設定されるまでステップＳ４を繰り返す。
〔Ｓ５〕フラグ設定手段１３は、バックアップ情報により、電源ＯＦＦ前の動作状態がｏ９状態であった場合にはｏ９状態フラグをＯＮし、ステップＳ６へ行く。そうでなければｏ９状態フラグをＯＦＦとして、ステップＳ７へ行く。
〔Ｓ６〕状態遷移制御手段１４は、ＯＮＵ１０をｏ０状態からｏ９状態へ遷移させる。
〔Ｓ７〕状態遷移制御手段１４は、ＯＮＵ１０をｏ０状態からｏ１状態へ遷移させる。
【００３１】
以上説明したように、本発明のＯＮＵ１０は、立ち上げ時に、あらたに設けたｏ０状態に遷移して、ｏ０状態の期間中に、ｏ９状態フラグが設定された場合には、ｏ９状態へ遷移し、ｏ９状態フラグが設定されない場合には、ｏ１状態へ遷移する構成とした。
【００３２】
これにより、ＯＮＵ１０の立ち上げ時に、ｏ１状態またはｏ９状態の遷移動作をスムーズに行うことができ、動作を安定化させて効率のよい状態遷移を行うことが可能になる。
【００３３】
また、状態遷移制御手段１４は、ｏ０状態の期間外で設定されたｏ９状態フラグについては、状態遷移制御として受け付けないので、ＯＮＵ１０の運用中の誤動作防止を図ることが可能になる。
【００３４】
次に本発明の状態遷移動作を実現するためのＯＮＵ１０の構成について説明する。図３、図４はＯＮＵ１０の構成の一例を示す図である。図に示す構成はＯＮＵ１０内のＬＳＩ内部に含まれる。また、図中の（ｆ）は、ファームウェアから通知された、またはファームウェアへ通知する信号であることを示している。まず、入力及び出力信号について説明する。
【００３５】
ＸＳＥＴＵＰ信号は、バックアップ情報レジスタＩＣ９に、バックアップ情報が設定されたか否かを示す信号であり、設定完了の場合には“Ｈ”→“Ｌ”となる。
【００３６】
電源ＯＮ時のバックアップ情報Ｂは、ｏ９状態情報データ（ｏ９Ｄ）とその他のバックアップ情報とに分岐される。ｏ９状態情報データ（ｏ９Ｄ）は、状態がｏ９状態であるか否かを示す信号であり、ｏ９状態である場合は“Ｈ”であり、ｏ９状態でなければ“Ｌ”である。
【００３７】
その他のバックアップ情報とは、ｏ９状態情報データ（ｏ９Ｄ）以外のバックアップ情報のことを意味する。
ｏ９状態情報データ書き込み要求信号（Ｗ）は、ｏ９状態情報データ（ｏ９Ｄ）をｏ９ステートレジスタＩＣ３に書き込むための信号である。
【００３８】
ＯＮＵステート信号（ＯＮＵ−ＳＴ）は、ＯＮＵ１０の現時点での状態を示す信号である。例えば、ｏ０状態であるならば“００００”を（電源ＯＮ時のパワーオンリセットでＯＮＵステートレジスタＩＣ４のＱ出力は“Ｌ”となる）、ｏ１状態であるならば“０００１”を、ｏ９状態であるならば“１００１”を出力する。なお、“ｘｘｘｘ”は４ビットのヘキサデータを示す。
【００３９】
デコードパルス（Ｐ）は、ＯＮＵステート信号（ＯＮＵ−ＳＴ）がｏ０状態を示す信号の時に“Ｈ”となるようにデコードされたデコーダＩＣ５の出力信号である。
【００４０】
バックアップ情報（運用中）は、ＯＮＵ１０が運用中の時のバックアップ情報の内容を示す信号であり、ＯＬＴから受信した信号である。
バックアップ情報書き込み要求信号（運用中）は、バックアップ情報（運用中）を書き込むための信号であり、ＯＬＴから受信した信号である。
【００４１】
ＯＮＵバックアップ情報は、バックアップ情報レジスタＩＣ９でラッチされたバックアップ情報の信号であり、ファームウェアへ通知される。
また、ファームウェアでは、受け取ったＯＮＵバックアップ情報を、バックアップ情報の更新時または電源ＯＦＦ時にフラッシュメモリ（図示せず）へ書き込む。そして、電源ＯＮ時には、ファームウェアはフラッシュメモリから、バックアップ情報を読み出す。読み出された情報が、電源ＯＮ時のバックアップ情報Ｂである。
【００４２】
次に各構成要素について説明する。微分回路ＩＣ１は、入力したＸＳＥＴＵＰ信号を立ち下がり微分して、微分パルス（Ａ）を出力する。
ＡＮＤ回路ＩＣ２は、ｏ９状態情報デーダ書き込み要求信号（Ｗ）と、デコードパルス（Ｐ）との論理積をとって出力する。
【００４３】
ｏ９ステートレジスタＩＣ３は、ＡＮＤ回路ＩＣ２の出力に接続するＥｎ端子が“Ｈ”の時に、入力クロックの立ち上がりで、Ｑ端子からｏ９状態情報データ（ｏ９Ｄ）をラッチしたｏ９状態信号（ｏ９−ＳＴ）を出力する。
【００４４】
ＯＮＵステートレジスタＩＣ４は、状態遷移判定部ＩＣ６からの出力信号をラッチしてＯＮＵステート信号（ＯＮＵ−ＳＴ）を出力する。
デコーダＩＣ５は、ＯＮＵステート信号（ＯＮＵ−ＳＴ）がｏ０状態を示す時に“Ｈ”となるようにデコードする。
【００４５】
状態遷移判定部ＩＣ６では、デコードパルス（Ｐ）と微分パルス（Ａ）の論理をとることによって、ｏ０状態の場合ではｏ９状態信号（ｏ９−ＳＴ）の検証を行い、ｏ０状態以外ではｏ９状態信号（ｏ９−ＳＴ）の検証を行わないようにする。
【００４６】
すなわち、デコードパルス（Ｐ）と微分パルス（Ａ）が共に“Ｈ”の場合には、現在の状態がｏ０状態であると認識して、ｏ９状態信号（ｏ９−ＳＴ）の検証を行う。
【００４７】
そして、この時に、ｏ９状態信号（ｏ９−ＳＴ）が“Ｈ”ならば、状態遷移判定部ＩＣ６から“１００１”が出力され、ｏ９状態信号（ｏ９−ＳＴ）が“Ｌ”ならば“０００１”が出力される。
【００４８】
また、デコードパルス（Ｐ）と微分パルス（Ａ）が共に“Ｈ”でない場合は、ｏ９状態信号（ｏ９−ＳＴ）が“Ｈ”であっても検証を行わない。この場合は、通常の運用中であるので、フィードバックされたＯＮＵステート信号（ＯＮＵ−ＳＴ）にもとづき、現時点での動作状態を表す信号が状態遷移判定部ＩＣ６から出力される（例えば、ｏ２状態であるならば“００１０”等）。
【００４９】
セレクタＩＣ７は、デコードパルス（Ｐ）が“Ｈ”の場合は、その他のバックアップ情報を選択し、デコードパルス（Ｐ）が“Ｌ”の場合は、バックアップ情報（運用中）を選択する。
【００５０】
セレクタＩＣ８は、デコードパルス（Ｐ）が“Ｈ”の場合は、その他のバックアップ情報書き込み要求信号を選択し、デコードパルス（Ｐ）が“Ｌ”の場合は、バックアップ情報書き込み要求信号（運用中）を選択する。
【００５１】
バックアップ情報レジスタＩＣ９は、セレクタＩＣ８の出力に接続するＥｎ端子が“Ｈ”の時に、入力クロックの立ち上がりで、セレクタＩＣ７から出力された信号をラッチして、Ｑ端子からＯＮＵバックアップ情報を出力する。
【００５２】
次に図３、図４で示した構成に対してのタイミングチャートについて説明する。図５はｏ０状態からｏ１状態へ遷移する際のタイミングチャートを示す図である。
【００５３】
ＣＫは図３、図４で示した構成ブロックの基本動作クロックを示す。ＸＲＳＴは、全体リセット信号であり、リセット時に“Ｌ”、その後“Ｈ”固定になる。
また、Ｗは、ＡＮＤ回路ＩＣ２の一方の入力信号であるｏ９状態情報データ書き込み要求信号であり、ワンパルスの書き込み要求信号である。Ｐは、デコーダＩＣ５の出力信号であるデコードパルスであり、ｏ０状態を示す時に“Ｈ”となり、それ以外は“Ｌ”である。
【００５４】
ｏ９Ｄは、ｏ９ステートレジスタＩＣ３のＤ端子入力信号であるｏ９状態情報データであり、ｏ９状態である場合は“Ｈ”、それ以外は“Ｌ”である。ｏ９−ＳＴは、ｏ９ステートレジスタＩＣ３の出力信号である。
【００５５】
ＸＳＥＴＵＰは、微分回路ＩＣ１の入力信号であるＸＳＥＴＵＰ信号であり、バックアップ情報が設定完了されたか否かを示す。設定完了の場合には“Ｈ”→“Ｌ”となる。Ａは、微分回路ＩＣ１で立ち下がり微分された出力信号である。
【００５６】
ＯＮＵ−ＳＴは、ＯＮＵステートレジスタＩＣ４の出力信号であるＯＮＵステート信号であり、ｏ０状態であるならば“００００”を、ｏ１状態であるならば“０００１”を、ｏ９状態であるならば“１００１”となる。
【００５７】
まず、ｏ９状態情報データ書き込み要求信号（Ｗ）の“Ｈ”と、デコードパルス（Ｐ）の“Ｈ”により、ｏ９ステートレジスタＩＣ３のＥｎ端子は“Ｈ”となり、その時のｏ９状態情報データ（ｏ９Ｄ）の“Ｌ”（電源ＯＦＦ時の状態がｏ９状態でないことを示す）をＣＫａでラッチして、ｏ９状態信号（ｏ９−ＳＴ）が“Ｌ”として出力される。
【００５８】
また、デコーダパルス（Ｐ）と微分パルス（Ａ）の“Ｈ”で状態遷移判定部ＩＣ６では、現在の状態がｏ０状態であると認識して、ｏ９状態信号（ｏ９−ＳＴ）の検証を行う。そして、ｏ９状態信号（ｏ９−ＳＴ）が“Ｌ”であるため、ＣＫｂからｏ１状態である“０００１”を出力する。
【００５９】
図６はｏ０状態からｏ９状態へ遷移する際のタイミングチャートを示す図である。ｏ９状態情報データ書き込み要求信号（Ｗ）の“Ｈ”と、デコードパルス（Ｐ）の“Ｈ”により、ｏ９ステートレジスタＩＣ３のＥｎ端子は“Ｈ”となり、その時のｏ９状態情報データ（ｏ９Ｄ）の“Ｈ”（電源ＯＦＦ時の状態がｏ９状態であることを示す）をＣＫａでラッチして、ｏ９状態信号（ｏ９−ＳＴ）が“Ｈ”として出力される。
【００６０】
また、デコーダパルス（Ｐ）と微分パルス（Ａ）の“Ｈ”で状態遷移判定部ＩＣ６では、現在の状態がｏ０状態であると認識して、ｏ９状態信号（ｏ９−ＳＴ）の検証を行う。そして、ｏ９状態信号（ｏ９−ＳＴ）が“Ｈ”であるため、ＣＫｂからｏ９状態である“１００１”を出力する。
【００６１】
次に本発明の状態遷移制御方法について説明する。図７は状態遷移制御方法の処理手順を示すフローチャートである。
〔Ｓ１０〕装置の状態情報を不揮発性メモリに記憶する。
〔Ｓ１１〕立ち上げ時に、立ち上げ準備状態に遷移させる。
〔Ｓ１２〕立ち上げ前の状態が緊急停止状態であると状態情報により認識した場合には、緊急停止状態フラグを設定してステップＳ１３へ行く。そうでなければステップＳ１４へ行く。
〔Ｓ１３〕立ち上げ準備状態から緊急停止状態へ遷移させる。
〔Ｓ１４〕立ち上げ準備状態から初期状態へ遷移させる。
【００６２】
なお、立ち上げ準備状態の期間外で設定された緊急停止状態フラグについては、状態遷移制御として受け付けない。すなわち、通常の運用中に設定された緊急停止状態フラグに対しては、これを認識せず、緊急停止状態への遷移動作を行わない。
【００６３】
以上説明したように、本発明の光加入者線終端装置１０及び状態遷移制御方法は、立ち上げ時に立ち上げ準備状態に遷移して、立ち上げ準備状態の期間中に、緊急停止状態フラグが設定された場合には、緊急停止状態へ遷移し、緊急停止状態フラグが設定されない場合には、初期状態へ遷移する構成とした。
【００６４】
これにより、立ち上げ動作を安定化させ、効率のよい状態遷移動作を行うことが可能になる。
【００６５】
【発明の効果】
以上説明したように、本発明の光加入者線終端装置は、立ち上げ時に立ち上げ準備状態に遷移して、立ち上げ準備状態の期間中に、緊急停止状態フラグが設定された場合には、緊急停止状態へ遷移し、緊急停止状態フラグが設定されない場合には、初期状態へ遷移する構成とした。これにより、立ち上げ動作を安定化させ、効率のよい状態遷移動作を行うことが可能になる。
【００６６】
また、本発明の状態遷移制御方法は、立ち上げ時に立ち上げ準備状態に遷移して、立ち上げ準備状態の期間中に、緊急停止状態フラグが設定された場合には、緊急停止状態へ遷移し、緊急停止状態フラグが設定されない場合には、初期状態へ遷移することとした。これにより、立ち上げ動作を安定化させ、効率のよい状態遷移動作を行うことが可能になる。
【図面の簡単な説明】
【図１】本発明の光加入者線終端装置の原理図である。
【図２】状態遷移の動作手順を示す動作フローである。
【図３】ＯＮＵの構成の一例を示す図である。
【図４】ＯＮＵの構成の一例を示す図である。
【図５】ｏ０状態からｏ１状態へ遷移する際のタイミングチャートを示す図である。
【図６】ｏ０状態からｏ９状態へ遷移する際のタイミングチャートを示す図である。
【図７】本発明の状態遷移制御方法の処理手順を示すフローチャートである。
【図８】ＡＴＭ−ＰＯＮシステムの構成を示す図である。
【符号の説明】
１０  光加入者線終端装置
１１  状態情報記憶手段
１２  立ち上げ準備状態遷移手段
１３  フラグ設定手段
１４  状態遷移制御手段
【図１】
0003710643.tif 000002
【図２】
0003710643.tif 000003
【図３】
0003710643.tif 000004
【図４】
0003710643.tif 000005
【図５】
0003710643.tif 000006
【図６】
0003710643.tif 000007
【図７】
0003710643.tif 000008
【図８】
0003710643.tif 000009